(57)【要約】ビデオ・データ（２０６）およびオーディオ・データ（２０８）を取得するためのシステムが提供される。ある例示的な実施形態では、システムは、有形の媒体（２０４）上に記録するのに好適なビデオ・データ（２０６）を取得するよう適応されたカメラを有する。ビデオ・データ（２０６）は、被写体（１０８）に対してある方位角で撮影された被写体（１０８）の画像を表す。本システムはさらに、前記有形媒体（２０４）上の前記ビデオ・データ（２０６）に対応するオーディオ・データ（２０８）を取得するよう適応され、前記被写体（１０８）に対する前記方位角からのオーディオ・データ（２０６）を取得するよう適応されたマイクロホンと、前記方位角データに対応するデータを提供するよう適応されているコンパス（１０６）とを有する。前記方位角データは、前記対応するビデオ・データ（２０６）およびオーディオ・データ（２０８）とともに記憶される。
2010514254.tif 000002
【特許請求の範囲】
【請求項１】
被写体の画像を表すビデオ・データを取得するよう適応され、被写体に対してある方位角に配向されたカメラと；
前記ビデオ・データに対応するオーディオ・データを取得するよう適応されたマイクロホンと；
前記マクロホンの方向配向に対応する方位角データを提供するよう適応されたコンパスとを有する装置であって、
前記カメラ、マイクロホンおよびコンパスのそれぞれが、記録するために好適なデータを生成する、
装置。
【請求項２】
前記カメラ、前記マイクロホン、前記コンパスが単一の物理的ユニットに統合されている、請求項１記載の装置。
【請求項３】
前記マイクロホンが、前記カメラと同じ方向から前記被写体のほうを向くよう適応されている、請求項１記載の装置。
【請求項４】
前記マイクロホンが指向性マイクロホンである、請求項１記載の方法。
【請求項５】
前記方位角データがメタデータを含む、請求項１記載のシステム。
【請求項６】
前記カメラがカムコーダである、請求項１記載の装置。
【請求項７】
前記マイクロホンが、前記カメラによって取得されるビデオ・パースペクティブをズームするためのコマンドに応答してオーディオ・パースペクティブを狭めるよう適応されている、請求項１記載の装置。
【請求項８】
ビデオ・データ、オーディオ・データおよび関連する方位角データを記憶する記録された媒体と；
エディタとを有する編集システムであって、
前記エディタは：
前記ビデオ・データ、前記オーディオ・データおよび前記関連する方位角データを受領し、
前記ビデオ・データのある部分に対応する前記オーディオ・データのある部分の知覚される方向を調節して、前記オーディオ・データの前記部分の知覚される方向が方位角調節値に対応するようにし、前記方位角調節値は、マスター・パースペクティブを表す前記ビデオ・データの異なる部分の方位角を基準としての相対方位角に対応し、
前記ビデオ・データの前記部分に対応するオーディオ・データの前記部分についての前記方位角調節値を使って仕上げされた視聴覚作品を生成する、
よう適応されている、
編集システム。
【請求項９】
前記エディタがノンリニア・エディタである、請求項８記載の編集システム。
【請求項１０】
前記エディタが、マスター・パースペクティブを選択することをユーザーに許容するよう適応されている、請求項８記載の編集システム。
【請求項１１】
前記方位角データがメタデータを含む、請求項８記載の編集システム。
【請求項１２】
前記方位角が、被写体に対してある角度に関して定義される、請求項８記載の編集システム。
【請求項１３】
前記編集システムが、前記仕上げされた視聴覚作品における前記方位角調節値の調節を実行するための微調整コントロールを有する、請求項８記載の編集システム。
【請求項１４】
ビデオ・データおよびオーディオ・データを編集する方法であって：
ビデオ・データ、オーディオ・データおよび関連する方位角データを受領する段階と；
前記ビデオ・データのある部分に対応する前記オーディオ・データのある部分の知覚される方向を調節し、前記オーディオ・データの前記部分の知覚される方向が、マスター・パースペクティブを表す前記ビデオ・データの異なる部分の方位角に対応するようにする段階とを有する、
方法。
【請求項１５】
前記マスター・パースペクティブを選択する段階を含む、請求項１４記載の方法。
【請求項１６】
前記方位角データがメタデータを含む、請求項１４記載の方法。
【請求項１７】
前記知覚された方向を被写体に対する角度0°に関するよう定義する段階を含む、請求項１４記載の方法。
【請求項１８】
前記仕上げされた視聴覚作品に含めるために前記知覚された方向の微調整調節を実行する段階を含む、請求項１４記載の方法。
【請求項１９】
前記オーディオ・データを指向性マイクロホンで取得する段階を含む、請求項１４記載の方法。
【請求項２０】
前記取得されたビデオ・データ、前記取得されたオーディオ・データおよび前記関連する方位角データを記録する段階を含む、請求項１４記載の方法。
【請求項２１】
前記取得されたビデオ・データ、前記取得されたオーディオ・データおよび前記関連する方位角データをカムコーダで記録する段階を含む、請求項１４記載の方法。
【請求項２２】
ビデオ・データ、オーディオ・データおよび方位角データが記録されている、記録された媒体であって、前記方位角データが前記オーディオ・データを生成したマイクロホンの配向を表す、媒体。
【請求項２３】
第一の画像を描くビデオ・データ、編集されたオーディオ・データおよび方位角データが記録されている記録された媒体であって、前記編集されたオーディオ・データが、第二のビデオ画像の方位角に対応する知覚される方向に調節されている、媒体。
【発明の詳細な説明】
【技術分野】
【０００１】
本発明は、ニュースおよびその他のフィールド取得制作（field  acquisition  production）における多方向オーディオの編集を改善することに関する。
【背景技術】
【０００２】
本節は、記載および／または特許請求される本発明の諸側面に関係しうる当技術分野の諸側面を読者に紹介することを意図したものである。この議論は、本発明の諸側面のよりよい理解を助けるために読者に背景情報を提供する助けになると信じられる。したがって、これらの陳述はこの観点で読まれるべきであって、従来技術の自認と見なされるべきではないことは理解しておくべきである。
【０００３】
高精細度テレビへの移行は、テレビ・ニュース収集および制作におけるオーディオ編集の分野に特別な課題を生じることになった。具体的には、フィールドで経験される実際のオーディオ環境によって囲まれているという聴覚上の印象を視聴者に与える「サラウンド・サウンド」「5.1オーディオ」「6.1オーディオ」および他の技術の使用は、現在のところ、きわめてわずらわしく、労働集約的な編集プロセスを伴う。
【発明の概要】
【発明が解決しようとする課題】
【０００４】
ニュースおよび他のフィールド取得素材（field  acquisition  material）の性質がこの状況を悪化させうる。しばしば、オンサイトのテレビ報道において、異なる方向から撮影された多くのショットが短いクリップとして一緒に編集される。典型的にはさまざまなショットが最終的な視聴覚制作物として速いシーケンスで示される。ショット方向の変化に対応すべく頻繁にオーディオ・パースペクティブを変更することは、美学的に不快であることがあり、実際、視聴者にとっていらだたしいものでありうる。こうした問題を克服するための唯一の既知の方法は、視聴者が各ショットについてのオーディオを知覚する方向を、各ショットが最終的な視聴覚制作物に編集される際に手動で揃えることを伴う。このプロセスは複雑で時間がかかる。方向性の音編集の工程を単純化し、聴取者に快い効果を与える改善されたシステム及び方法が望ましい。
【課題を解決するための手段】
【０００５】
開示される実施形態に見合った範囲のある種の諸側面が以下に記載される。これらの側面は単に、本発明が取りうるある種の形態の簡潔な要約を読者に提供するために呈示されるのであって、これらの側面が本発明の範囲を限定することを意図したものではないことは理解しておくべきである。実際、本発明は、以下に記述されないかもしれない多様な側面を包含しうるものである。
【０００６】
ビデオ・データおよびオーディオ・データを取得するためのシステムが提供される。ある例示的な実施形態では、システムは、有形の媒体上にビデオ・データを記録するよう適応されたカメラを有する。ビデオ・データは、被写体に対してある方位角で撮影された被写体の画像を表す。本システムはさらに、前記有形媒体上に前記ビデオ・データに対応するオーディオ・データを記録するよう適応され、前記被写体に対する前記方位角からのオーディオ・データを記録するよう適応されたマイクロホンと、前記方位角データに対応するデータを提供するよう適応されているコンパスとを有する。前記方位角データは、前記対応するビデオ・データおよびオーディオ・データとともに前記有形媒体上に記憶される。
【０００７】
編集システムも提供される。例示的な編集システムは、ビデオ・データ、オーディオ・データおよび関連する方位角データを記憶する記録された媒体を有する。前記例示的なシステムはさらに、前記ビデオ・データを受信するよう適応されているエディタを有する。前記エディタは、前記ビデオ・データ、前記オーディオ・データおよび前記関連する方位角メタデータを受領し、前記ビデオ・データのある部分に対応する前記オーディオ・データのある部分の知覚される方向を調節し、前記オーディオ・データの前記部分の知覚される方向が方位角調節値（azimuth  adjusted  value）に対応するようにするよう適応されている。前記方位角調節値は、マスター・パースペクティブを表す前記ビデオ・データのある異なる部分の方位角を基準としての相対方位角に対応する。前記エディタはさらに、前記ビデオ・データの前記部分に対応するオーディオ・データの前記部分についての前記方位角調節値を使って仕上げされた視聴覚作品を生成する。
【０００８】
さらに、ビデオ・データおよびオーディオ・データを編集する方法が提供される。本方法のある例示的な実施形態は、記録されたビデオ・データ、記録されたオーディオ・データおよび関連する方位角メタデータを受領することを含む。前記例示的な方法はさらに、前記ビデオ・データのある部分に対応する前記オーディオ・データのある部分の知覚される方向を調節し、前記オーディオ・データの前記部分の知覚される方向が方位角調節値に対応するようにすることを含む。前記方位角調節値は、マスター・パースペクティブを表す前記ビデオ・データのある異なる部分の方位角を基準としての相対方位角に対応する。前記方法はさらに、前記ビデオ・データの前記部分に対応するオーディオ・データの前記部分についての前記方位角調節値を使って仕上げされた視聴覚作品を生成する。
【０００９】
ビデオ・データ、オーディオ・データおよび方位角データが記録されている、記録された媒体も開示される。前記方位角データは、前記オーディオ・データを生成したマイクロホンの配向を表す。
【００１０】
代替として、第一の画像を描くビデオ・データ、編集されたオーディオ・データおよび方位角データが記録されており、前記編集されたオーディオ・データが、第二のビデオ画像の方位角に対応する知覚される方向に調節されている、記録された媒体が開示される。
【図面の簡単な説明】
【００１１】
【図１】本発明のある例示的な実施形態に基づくシステムのブロック図である。
【図２】本発明のある例示的な実施形態に基づくノンリニア編集システムのブロック図である。
【図３】本発明のある例示的な実施形態に基づくプロセスを示すプロセス流れ図である。
【発明を実施するための形態】
【００１２】
本節は、記載および／または特許請求される本発明の諸側面に関係しうる当技術分野の諸側面を読者に紹介することを意図したものである。この議論は、本発明の諸側面のよりよい理解を助けるために読者に背景情報を提供する助けになると信じられる。したがって、これらの陳述はこの観点で読まれるべきであって、従来技術の自認と見なされるべきではないことは理解しておくべきである。
【００１３】
図１は、本発明のある例示的な実施形態に基づくシステムのブロック図である。この図は、全体として参照符号１００によって示されている。図１に示されるシステムは、カメラ１０２、指向性マイクロホン１０４およびコンパス１０６を有する。カメラ１０２はカムコーダなどであってもよい。本発明のある例示的な実施形態では、指向性マイクロホン１０４およびコンパス１０６は、カメラ１０２を含む単一のユニットに物理的に結合され、または統合される。ある代替的な例示的な実施形態では、指向性マイクロホン１０４はカメラ１０２に物理的に統合や結合されず、その代わり、カメラ１０２と同じ方向から、被写体１０８のほうを向く（あるいは被写体１０８のほうに向けられているかのように音を記録する）よう適応される。さらに、コンパス１０６は、マイクロホン１０４が向けられている方向の指標を提供するよう適応される。図１に示した例示的実施形態では、方向は破線１１０によって示される。
【００１４】
方向データ（すなわち、マイクロホン１０４が向けられている方向）は本稿では絶対方位角データと称される。ここで、絶対方位角は、地球の軸に対するコンパス方向を指すのでもよい。絶対方位角はしばしば単に「方位角」と称される。本発明のある例示的な実施形態では、絶対方位角データは、カメラ１０２によって記録された対応する視聴覚情報に関連してカメラ１０２によって記録される媒体上のメタデータとして記憶される。こうして、記録された情報の任意の部分についての絶対方位角データが、のちの使用のために、記録された視聴覚情報と一緒に保持される。
【００１５】
本発明のある例示的な実施形態では、レベル、バランスなどといったオーディオ・パラメータは、カメラ１０２とのインターフェースを介して制御可能である。マイクロホン「ズーム」（すなわち、狭められたオーディオ・パースペクティブ）は、実際のカメラ・ビデオ・ズームに追随するよう適応されていてもよい。
【００１６】
図２は、本発明のある例示的な実施形態に基づくノンリニア編集システムのブロック図である。このノンリニア編集システムは、全体として参照符号２００で示されている。ノンリニア編集器２０２は、記憶媒体２０４上に記憶されている、カメラ１０２（図１）によって記録されるデータを受領するよう適応されている。記憶媒体２０４は、ビデオ・データ２０６、オーディオ・データ２０８および絶対方位角メタデータ２１０を有する。絶対方位角メタデータ２１０は、対応するビデオ・データ２０６およびオーディオ・データ２０８についてマイクロホン１０４（図１）の絶対方位角１１０を与えることによって、ビデオ・データ２０６およびオーディオ・データ２０８に関係する。さらに、絶対方位角データ２１０は、記録された媒体２０４上の対応するビデオ・データ２０６およびオーディオ・データ２０８の任意の所与の組について位置データの一定の源を提供する。
【００１７】
本発明のある例示的な実施形態では、ノンリニア編集器２０２は、各ショットについて絶対方位角データ２１０を読み、タイムライン上に位置付けるよう適応されている。ノンリニア編集器２０２の操作者は、一つのショットを、タイムライン全体についてのマスター・オーディオ・パースペクティブとして選択しうる。本発明のある例示的な実施形態では、ノンリニア編集器２０２は、タイムライン上の他のクリップへのオーディオ・データに対して知覚される方向（相対方位角）をマスター・パースペクティブに一致するよう自動的に調節するよう適応されている。このコンテキストにおいて、相対方位角は、地球の軸以外を基準とした方向をいう。編集プロセスの結果は、ビデオ・データ２１４および方位角調節されたオーディオ・データ２１６を含む、仕上げされた記録された媒体２１２である。
【００１８】
例として、絶対方位角値270°をもつショットが視聴覚作品についてのマスター・パースペクティブとして選択されているとする。絶対方位角値90°での付随するシーンのショットは、ノンリニア編集器２０２によって、方位角調節値270°をもつよう自動的に調節されることになる。換言すれば、相対方位角は180°であり、これがマスター・パースペクティブと揃うために必要な画像の回転である。本発明のある例示的な実施形態では、ノンリニア編集器２０２は、必要に応じて絶対方位角調整された値の調節を実行するための微調整コントロールを設けられる。
【００１９】
図３は、本発明のある例示的な実施形態に基づくプロセスを示す流れ図である。本プロセスは、全体として参照符号３００によって示されている。ブロック３０２でプロセスは始まる。
【００２０】
ブロック３０４では、ノンリニア編集器２０２（図２）のようなノンリニア編集器がビデオ・データ２０６（図２）、オーディオ・データ２０８（図２）および関連する絶対方位角メタデータ２１０（図２）を受領する。仕上げられた視聴覚作品２１２（図２）への編集の間に、ブロック３０６で示されるように、仕上げされた視聴覚作品についてのマスター・パースペクティブが選択される。オーディオ・データの一部分（すなわち、マスター・パースペクティブの絶対方位角値に対してある角度で撮影された付随するショットについてのオーディオ・データ）についてのオーディオ・データの知覚される方向が、マスター・パースペクティブについてのオーディオ・データの絶対方位角を基準とする相対方位角に対して調節される。結果として得られるオーディオ・データは、方位角調節されたオーディオ・データ２１６（図２）と称される。そのオーディオ・データの絶対方位角は、マスター・パースペクティブの絶対方位角に基づいて調節されているからである。
【００２１】
ブロック３１０では、仕上げされた視聴覚作品２１２（図２）は、すべてのショットについて絶対方位角調節されたオーディオ・データを使って生成される。ブロック３１２でプロセスは終了する。
【００２２】
本発明には、さまざまな修正および代替形態がありうるが、図面では例として個別的な実施形態が示されており、本稿でも記載される。しかしながら、本発明が開示される特定の形に限定されることが意図されていないことは理解しておくべきである。むしろ、本発明は付属の請求項によって定義される本発明の精神および範囲内にはいるあらゆる修正、等価物および代替をカバーするものである。
【図１】
2010514254.tif 000003
【図２】
2010514254.tif 000004
【図３】
2010514254.tif 000005
【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
ビデオ・データ、オーディオ・データおよび関連する方位角データを記憶する記録された媒体と；
エディタとを有する編集システムであって、
前記エディタは：
前記ビデオ・データ、前記オーディオ・データおよび前記関連する方位角データを受領し、
前記ビデオ・データのある部分に対応する前記オーディオ・データのある部分の知覚される方向を調節して、前記オーディオ・データの前記部分の知覚される方向が方位角調節値に対応するようにし、前記方位角調節値は、マスター・パースペクティブを表す前記ビデオ・データの異なる部分の方位角を基準としての相対方位角に対応し、
前記ビデオ・データの前記部分に対応するオーディオ・データの前記部分についての前記方位角調節値を使って仕上げされた視聴覚作品を生成する、
よう適応されている、
編集システム。
【請求項２】
前記エディタがノンリニア・エディタである、請求項１記載の編集システム。
【請求項３】
前記エディタが、マスター・パースペクティブを選択することをユーザーに許容するよう適応されている、請求項１記載の編集システム。
【請求項４】
前記方位角データがメタデータを含む、請求項１記載の編集システム。
【請求項５】
前記方位角が、被写体に対してある角度に関して定義される、請求項１記載の編集システム。
【請求項６】
前記編集システムが、前記仕上げされた視聴覚作品における前記方位角調節値の調節を実行するための微調整コントロールを有する、請求項１記載の編集システム。
【請求項７】
ビデオ・データおよびオーディオ・データを編集する方法であって：
ビデオ・データ、オーディオ・データおよび関連する方位角データを受領する段階と；
前記ビデオ・データのある部分に対応する前記オーディオ・データのある部分の知覚される方向を調節し、前記オーディオ・データの前記部分の知覚される方向が、マスター・パースペクティブを表す前記ビデオ・データの異なる部分の方位角に対応するようにする段階とを有する、
方法。
【請求項８】
前記マスター・パースペクティブを選択する段階を含む、請求項７記載の方法。
【請求項９】
前記方位角データがメタデータを含む、請求項７記載の方法。
【請求項１０】
前記知覚された方向を被写体に対する角度0°に関するよう定義する段階を含む、請求項７記載の方法。
【請求項１１】
前記仕上げされた視聴覚作品に含めるために前記知覚された方向の微調整調節を実行する段階を含む、請求項７記載の方法。
【請求項１２】
前記オーディオ・データを指向性マイクロホンで取得する段階を含む、請求項７記載の方法。
【請求項１３】
前記取得されたビデオ・データ、前記取得されたオーディオ・データおよび前記関連する方位角データを記録する段階を含む、請求項７記載の方法。
【請求項１４】
前記取得されたビデオ・データ、前記取得されたオーディオ・データおよび前記関連する方位角データをカムコーダで記録する段階を含む、請求項７記載の方法。
【請求項１５】
ビデオ・データ、オーディオ・データおよび方位角データが記録されている、記録された媒体であって、前記方位角データが前記オーディオ・データを生成したマイクロホンの配向を表し、前記ビデオ・データが第一の画像を描き、前記オーディオ・データの編集されたバージョンおよび前記方位角データが、前記編集されたオーディオ・データが、第二のビデオ画像の方位角に対応する知覚される方向に調節されている、媒体。
【国際調査報告】
2010514254.tif 000006
2010514254.tif 000007
2010514254.tif 000008
2010514254.tif 000009